(57)【要約】    【課題】  天井吊下げ時等の落下防止機構に連動し、表示プレートの位置決めすることを可能にした雲台装置を提供すること。    【解決手段】  文字や絵、情報を有する表示が形成し、少なくとも２つ以上の姿勢で設置する雲台装置において、落下防止機構との接続部が設けられ、落下防止機構が接続時に表示される第一の表示部と、落下防止機構が非接続時に表示される第二の表示部とを有することを特徴とする構成とした。【選択図】    図１
2014146948.tif 000002
【特許請求の範囲】
【請求項１】
文字や絵、情報を有する表示が形成し、少なくとも２つ以上の姿勢で設置する雲台装置において、落下防止機構との接続部が設けられ、落下防止機構が接続時に表示される第一の表示部と、落下防止機構が非接続時に表示される第二の表示部とを有することを特徴とする雲台装置。
【請求項２】
前記第一の表示部と前記第二の表示部が形成された表示プレートと、前記表示プレートの変位を案内するガイド部材と、前記ガイド部材を保持し、前記表示プレートに形成された前記第一の表示部と前記第二との表示部の表示の内、少なくとも１つの表示を外装面に表示する本体部を備え、前記接続部が前記本体部から突出した時は前記第一の表示部が外装面に表示され、前記接続部が前記本体部に収納された時は前記第二の表示部が外装面に表示されることを特徴とする請求項１記載の雲台装置。
【請求項３】
文字や絵、情報を有する表示が形成し、少なくとも２つ以上の姿勢で設置する雲台装置において、少なくとも４つの表示部が形成された表示プレートと、落下防止機構との接続部が設けられ、前記表示プレートの変位を案内する第一ガイド部材と、前記第一ガイド部材を、前記第一ガイド部材の変位方向とは異なる方向に案内する第二ガイド部材と、前記第二ガイド部材を保持し、前記表示プレートに形成された複数個の表示の内、少なくとも１つの表示を外装面に表示する本体部を備え、
前記本体部が第一の姿勢の場合、前記第一ガイド部材に対する前記表示プレートの位置関係が定まり、前記接続部が前記本体部から突出した時は第一の表示部が外装面に表示され、前記接続部が前記本体部から収納された時は第二の表示部が外装面に表示され、
前記本体部が第二の姿勢の場合、第一の姿勢と異なる、前記第一ガイド部材に対する前記表示プレートの位置関係が定まり、前記接続部が前記本体部から突出した時は第三の表示部が外装面に表示され、前記接続部が前記本体部から収納された時は第四の表示部が外装面に表示され、
前記本体部の外装面の表示形態が、前記接続部が前記本体部から突出した時と、前記接続部が前記本体部に収納された時と、第一ガイド部材と前記表示プレートとの相対的な位置関係と、によって異なることを特徴とする雲台装置。
【請求項４】
落下防止機構の接続部は、孔、又はネジ部、又は固定具系のキャッチ機構、又は施錠機構であることを特徴とする請求項１乃至３のいずれか１項に記載の雲台装置。
【請求項５】
前記表示プレート又は前記第一ガイド部材を、変位方向に沿って付勢する付勢手段を備えた請求項１乃至５のいずれか１項に記載の雲台装置。
【発明の詳細な説明】
【技術分野】
【０００１】
本発明は、遠隔操作用雲台装置に関し、特に異なる姿勢で設置を可能とした雲台装置に関するものである。
【背景技術】
【０００２】
従来、外装面に会社名や製品名等の文字情報を表示した雲台装置が知られている。このような装置は、正立の設置や天井吊下げ設置等、あらゆる方向に設置し、天井吊下げ時は、製品の落下を防止するために、製品とアンカーとなる天井面との間に落下防止機構を設ける。
【０００３】
例えば、特許文献１では、雲台装置の外３装面に設けられた表示プレートの向きを、正立の設置や天井吊下げ等の設置姿勢に応じ、手動で容易に変更できる構造が開示されている。
【０００４】
また特許文献２では、雲台装置を天井吊下げする時、雲台装置と天井裏等の既存設備にワイヤー（フック）を連結し、落下防止対策を施す構造が開示されている。天井吊下げの雲台装置においては、ワイヤー等で落下防止対策を施すことが多い。
【先行技術文献】
【特許文献】
【０００５】
【特許文献１】特許第4419949号明細書
【特許文献２】特開2000-307922号公報
【発明の概要】
【発明が解決しようとする課題】
【０００６】
しかしながら、上述の特許文献１に開示された従来技術では、設置作業者にとって、表示プレートの向きを変更する作業を忘れてしまう可能性がある。その為、天井吊下げ時等で、外装面の会社名や製品名等が、適切では無い方向のまま表示されるという問題点がある。
【０００７】
そこで、本発明の目的は、天井吊下げ時等の落下防止機構に連動し、表示プレートの位置決めすることを可能にした雲台装置を提供することである。
【課題を解決するための手段】
【０００８】
上記目的を達成するために、本発明は、文字や絵、情報などを有する表示が形成し、少なくとも２つ以上の姿勢で設置する雲台装置において、落下防止機構との接続部が設けられ、落下防止機構が接続時に表示される第一の表示部と、落下防止機構が非接続時に表示される第二の表示部とを有することを特徴とする。
【発明の効果】
【０００９】
本発明によれば、雲台装置は、表示プレートの位置決めが、落下防止機構に連動する為、設置姿勢に応じた適切な表示位置を提供することができる。
【図面の簡単な説明】
【００１０】
【図１】本発明の実施例1における正立時の雲台装置の正面図。
【図２】図１の右側面図。
【図３】図１の表示プレート近傍の拡大図。
【図４】図２の表示プレート近傍の拡大図。
【図５】(a)は、実施例１における天吊時の表示プレートの変位前。(b)は、実施例１における天吊時の表示プレートの変位後。
【図６】本発明の実施例２における正立時の雲台装置の正面図。
【図７】図６の表示プレート近傍の斜視拡大図。
【図８】(a)は、実施例２における天吊時の表示プレートの変位前。(b)は、実施例２における天吊時の表示プレートの変位後。
【図９】本発明の実施例３における正立時の雲台装置の正面図。
【図１０】図９の右側面図
【図１１】(a)、(b)は、図９の表示プレート近傍の２視点の斜視拡大図。
【図１２】(a)は、実施例３における天吊時の表示プレートの変位前。(b)、(c)は、実施例３における天吊時の表示プレートの変位後。
【発明を実施するための形態】
【００１１】
以下に、本発明の好ましい実施の形態を、添付の図面に基づいて詳細に説明する。図１は、本発明の実施形態にかかわる雲台装置の正面図である。
【００１２】
［実施例１］
以下、図１から図５を参照して、本発明の第1の実施例による、雲台装置の天吊時の動作について説明する。
【００１３】
まず図1における雲台装置の構成図を説明する。
【００１４】
１は、カメラレンズを収納するカメラハウジング、２は、パンチルト駆動部や雲台装置の制御基板を収納するヘッド部。ヘッド部２は、カメラハウジング１と後述する本体部３に連結している。
【００１５】
３は、ヘッド部２と連結する本体部、本体部３は、外装面に長四角の開口部3aを有し、開口部3aから後述する表示プレート７に示す、文字や絵などを有する表示が、表示される。図１では、開口部3aからAAAが表示されている。
【００１６】
４は、本体部３とアンカーボルトで連結されている架台部、５は、架台部４とネジや溶接等で連結され、孔が設けられたフック部である。
【００１７】
６は、本体部３にネジで固定されたリセプタクル部。リセプタクル部６は、板金で形成され、雲台装置のケーブル類を接続するためにコネクタ等が設けられている。また、リセプタクル部６は、コの字の切欠け6aが設けられており、後述する表示プレート７が＋Ｘ軸方向にスライド可能である。実施例１では、＋Ｘ軸方向を本体部３の開口部3aからリセプタクル６への方向とし、＋Ｙ軸方向を反重力方向とする。
【００１８】
７は、文字や絵、情報などを有する表示が形成された平板形状の表示プレート。図３より、表示プレート７の表示は、AAAと、天地逆のAAAがシルク印刷やシール等で印字されている。表示プレート７の表示の位置関係は、AAAの左方に天地逆のAAAが位置する。図１と図３では、本体部３の開口部3aに位置する表示は、AAAであり、天地逆のAAAは本体部３の筐体内部に収納されている。また表示プレート７は、落下防止機構と連結するジョイント部が設けられている。ジョイント部は、図３でいうと、表示AAAの右方にある孔7aとなる。
【００１９】
８は、本体部３とネジ又は溶接等で連結されている、コノ字形状のガイド部。ガイド部８の溝部は、表示プレート７を摺動させて、表示プレート７を±Ｘ軸方向に案内する。
【００２０】
９は、引張バネ。表示プレート７とガイド部８のそれぞれに、引張バネ９の両端を引掛ける突起が設けている。引張バネ９は、±Ｘ軸方向に力を作用する。また表示プレート７の突起７bが、ガイド部８の端面８aと接触するため、表示プレート７は引張バネ９で力が作用しても、図１の表示の位置を保持する。
【００２１】
１０は、ワイヤーである。
【００２２】
次に図５(a),(b)を参照して、天吊時の動作について説明する。
【００２３】
図5(a)は、雲台装置を正立から天吊に設置した直後である。雲台装置を天吊した時、本体部３の開口部3aに表示は、天地逆のAAAとなる。次に、表示プレート７を＋Ｘ軸方向に力を作用させて、表示プレート７の孔7aを本体部３の端面から突出させる。次に、ワイヤー１０を、表示プレート７の孔7aとフック部５の孔とを通し、結合する。これら一連の動作後を図5(b)に示す。この時、本体部３の開口部3aは、AAAが表示されている。
【００２４】
尚、図5(b)の状態から、表示プレート7の孔7aを通るワイヤーを取外すと、バネの復元力により、図5(a)の状態となる。
【００２５】
上記実施例1の効果として、表示プレート７の位置決めが、落下防止機構に連動し、設置姿勢に応じた適切な表示位置を提供することができる。
【００２６】
［実施例２］
以下、図６から図８を参照して、本発明の第２の実施例による、雲台装置の天吊時の動作について説明する。実施例１と同じ部分は説明を省略する。
【００２７】
１０は、ヘッド部２と連結する本体部。本体部１０は、外装面に長四角の開口部１０aを有し、開口部10aから後述する表示プレート１１の文字や絵などを有する表示が、表示される。図６では、開口部10aから表示プレート１１の表示ABCDが、表示されている。
【００２８】
１１は、文字や絵、情報などを有する表示が形成された表示プレート。図７に示すよう、表示プレート１１は、Ｌ字の形状であり、Ｌ字の曲げ部近傍で後述するガイド部１２とネジ止め又は溶接等で連結されている。また表示プレート１１の表示は、それぞれ異なる面に、ＡＢＣＤとWIREINSTALLATION!（ワイヤー取付！）と、がシルク印刷やシール等で印字されている。またWIREINSTALLATION!の印字を形成する面から直角の折部を成す面が設けられ、その面には孔が設けられている。
【００２９】
１２は、２つの平板形状をヒンジ結合した、ガイド部。ガイド部１２の２つの平板を、固定側平板と可動側平板と定義すると、固定側平板は本体部１０とネジ止め又は溶接等で連結され、稼動側平板は表示プレート１１とネジ止め又は溶接等で連結されている。可動側平板は、ガイド部１２に設けた軸１２aを回転軸として、回転範囲約９０度を上限とし、本体部１０に収納された状態から本体部１０から突出した状態へ回転する。
【００３０】
次に図８(a),(b)を参照して、天吊時の動作について説明する。
【００３１】
図８(a)は、雲台装置を正立から天吊に設置した直後である。雲台装置を天吊したため、本体部１０の開口部１０aの表示ABCDは、天地逆となっている。次に、ガイド部１２を９０度回転させ、表示プレート１１を本体部３の外装面から突出させる。次にワイヤー１０を、表示プレート１１の孔とフック部５の孔とを通し、結合する。これら一連の動作後を図８（b）に示す。この時、表示ABCDは天井面なら下方に向かって表示され、開口部10aにはWIREINSTALLATION!が表示される。
【００３２】
上記実施例２の効果として、表示プレート１１の位置決めが、落下防止機構に連動し、設置姿勢に応じた適切な表示位置を提供することができる。雲台装置の天井吊り下げ時の表示位置は、天井下方にいる人から見て表示が見やすい。
【００３３】
［実施例３］
以下、図９から図１２を参照して、本発明の第３の実施例による、雲台装置の天吊時の動作について説明する。実施例１と同じ部分は説明を省略する。
【００３４】
２０は、ヘッド部２と連結する本体部。本体部２０は、外装面に長四角の開口部20aを有し、開口部20aから後述する表示プレート２０の文字や絵などを有する表示が、表示される。
【００３５】
２１は、文字や絵、情報などを有する表示が形成された平板形状の表示プレート。表示プレート２１の表示は、CCCCとBBBBと天地逆のEEEEと天地逆のCAUTIONとが、シルク印刷やシール等で印字されている。４つの表示の位置関係は、CCCCの左方にBBBBが位置し、CCCCの下方に天地逆のCAUTIONが位置し、BBBBの下方に天地逆のEEEEが位置する。図９と図１１(a)では、本体部２０の開口部２０aに位置する表示は、CCCCであり、BBBBと天地逆のCAUTIONと天地逆のBBBBは、本体部２０の筐体内部に収納されている。
【００３６】
２２は、第一ガイド部。第一ガイド部２２は、コノ字の溝部内側で表示プレート２１を摺動させて±Ｙ軸方向に案内する。また第一ガイド部２２は、コノ字形状の曲げられた部位の先端から、更に９０度の曲げが入り、開口部20aからリセプタクル方向へと、平板形状が伸びる。平板形状には１つの孔22aが設けられている。
【００３７】
２３は本体部２０とネジ又は溶接等で連結されている、コノ字形状の第二ガイド部。第二ガイド部２３の溝部内側で、第一ガイド部２２を摺動させて±Ｘ軸方向に案内する。また図１１(b)に示すよう、第二ガイド部２３のコノ字の底面に長穴が設けられている。
【００３８】
２４は、引張バネ。第一ガイド部２２と第二ガイド部２３のそれぞれに、引張バネ２４の両端を引掛ける突起が設けている。引張バネ２４は、±Ｘ軸方向に力を作用する。また図１１(b)に示すよう、第一ガイド部の突起が第二ガイド部の長穴から突出することで、第一ガイド部のＸ軸方向の変位量が制限される。
【００３９】
次に図９を参照して、正立時の動作について説明する。
【００４０】
図９は、雲台装置を正立に設置した時である。本体部２０の開口部２０aの表示は、CCCCとなる。次に第一ガイド部２２を＋Ｘ軸方向に力を作用させて、第一ガイド部２２の孔２２aを本体部２０から突出させる。次にワイヤー１０を、第一ガイド部２２の孔２２aとフック部５とを通し、結合する。この時、本体部２０の開口部２２aには、BBBBが表示される。
【００４１】
次に図１２(a)、(b)、(c)を参照して、天吊時の動作について説明する。
【００４２】
図１２(a)は、雲台装置を正立から天吊に設置した直後である。雲台装置を天吊した直後は、本体部２０の開口部２０aの表示は、天地逆のCCCCである。次に、表示プレート２１は自重によって、第一ガイド部２２の案内に沿って、落下し、第二ガイド部２３の溝部内側の面に接触して、停止する。この時の状態を図１２（b）に示した。次に、第一ガイド部２２を＋Ｘ軸方向に力を作用させて、表示プレート２１の孔22aを本体部２０から突出させる。次にワイヤー１０を、第一ガイド部２２の孔22aとフック部５の孔とを通し、結合する。これら一連の動作後を図１２（c）に示す。この時、本体部２０の開口部20aは、EEEEが表示されている。
【００４３】
上記実施例３の効果として、正立時と天吊時において、表示プレート２１の位置決めが、落下防止機構に連動し、設置姿勢に応じた適切な表示位置を提供することができる。実施例１とは異なり、正立時に落下防止機構を連動しても、設置姿勢に応じた適切な表示位置を提供することができる。
【００４４】
尚、前述の説明では、表示は、AAA、ABCD、WIREINSTALLATION!、CCCC、BBBB、CAUTION、EEEEとしたが、本発明はこれら文字に限定されず、他の文字や絵、情報としても良い。
【００４５】
尚、前述の説明では、正立設置時と天吊設置時の表示形態を示したが、天吊設置時に限定されず、これら実施形態を変形して、あらゆる方向に設置することが可能である。
【００４６】
尚、前述の説明では、落下防止機構の接続部は孔であったが、接続部はネジ部、又は
固定具系のキャッチ機構、又は施錠機構等でもよい。
【００４７】
以上、本発明の好ましい実施形態について説明したが、本発明はこれらの実施形態に限定されず、その要旨の範囲内で種々の変形及び変更が可能である。
【符号の説明】
【００４８】
３  本体部
７  表示プレート
８  ガイド部材
【図１】
2014146948.tif 000003
【図２】
2014146948.tif 000004
【図３】
2014146948.tif 000005
【図４】
2014146948.tif 000006
【図５】
2014146948.tif 000007
【図６】
2014146948.tif 000008
【図７】
2014146948.tif 000009
【図８】
2014146948.tif 000010
【図９】
2014146948.tif 000011
【図１０】
2014146948.tif 000012
【図１１】
2014146948.tif 000013
【図１２】
2014146948.tif 000014